(57)【要約】【課題】  光ディスクシステムのアクチュエータ及びその駆動信号提供装置を提供する。【解決手段】  光ディスク面に／から情報を記録／再生するための光源が装着されたアクチュエータは、光ディスク面の半径方向に内側コイルと外側コイルとの二部分に分けられたフォーカシングコイルと、内側コイルの第１端子に連結されて所定の内側コイル信号を供給する第１信号線と、外側コイルの第１端子に連結されて所定の外側コイル信号を供給する第２信号線と、内側コイルの第２端子と外側コイルの第２端子とに共通に連結されて所定の共通基準信号を供給する共通信号線と、を含む光ディスクシステムのアクチュエータ。これにより、製作が容易で低コストの８ラインアクチュエータ構造を具現でき、ディスクの厚さ偏差を補償するＬＣパネルをアクチュエータの動作部に搭載して厚さ補償を容易に行え、フォーカシングコイルに共通に提供される基準信号を適切に調節することによって同一なＯＰアンプを使用してもさらに多くの電力を提供できる。【選択図】      図６
2004213878.tif 000002
【特許請求の範囲】
【請求項１】
光ディスク面に／から情報を記録／再生するための光源が装着されたアクチュエータにおいて、
前記光ディスク面の半径方向に内側コイルと外側コイルとの二部分に分けられたフォーカシングコイルと、
前記内側コイルの第１端子に連結されて所定の内側コイル信号を供給する第１信号線と、
前記外側コイルの第１端子に連結されて所定の外側コイル信号を供給する第２信号線と、
前記内側コイルの第２端子と前記外側コイルの第２端子とに共通に連結されて所定の共通基準信号を供給する共通信号線とを含むことを特徴とする光ディスクシステムのアクチュエータ。
【請求項２】
前記内側コイル信号、前記外側コイル信号及び前記共通基準信号は、
所定のフォーカシング信号と所定のチルト信号を合わせた信号が前記内側フォーカシングコイルに印加され、前記フォーカシング信号から前記チルト信号を引いた信号が前記外側フォーカシングコイルに印加されるように決まることを特徴とする請求項１に記載の光ディスクシステムのアクチュエータ。
【請求項３】
前記内側コイル信号は所定の第１信号と所定の第２信号とを合わせた信号であり、
前記外側コイル信号は前記第１信号から前記第２信号を引いた信号であることを特徴とする請求項１に記載の光ディスクシステムのアクチュエータ。
【請求項４】
前記共通基準信号は前記第１信号と同じ大きさ及び反対極性を有する信号であることを特徴とする請求項３に記載の光ディスクシステムのアクチュエータ。
【請求項５】
前記共通基準信号は前記アクチュエータを駆動する電源電圧の最高値と最低値との中心値であることを特徴とする請求項１に記載の光ディスクシステムのアクチュエータ。
【請求項６】
前記共通基準信号はグラウンド電圧信号であることを特徴とする請求項１に記載の光ディスクシステムのアクチュエータ。
【請求項７】
前記内側コイル信号は所定の第１信号であり、
前記外側コイル信号は所定の第２信号であり、
前記共通基準信号は前記第１信号と前記第２信号との平均値と同じ大きさ及び反対極性を有する信号であることを特徴とする請求項１に記載の光ディスクシステムのアクチュエータ。
【請求項８】
前記アクチュエータを前記光ディスク面の半径方向に移動させるトラッキングコイルをさらに含むことを特徴とする請求項１に記載の光ディスクシステムのアクチュエータ。
【請求項９】
前記光ディスク面の厚さ偏差を補償する液晶パネルをさらに含むことを特徴とする請求項１に記載の光ディスクシステムのアクチュエータ。
【請求項１０】
光ディスク面に／から情報を記録／再生するための光源が装着されたアクチュエータを駆動する信号を提供する装置において、
前記アクチュエータの内側フォーカシングコイルの第１端子に提供する所定の内側コイル信号を生成する第１信号生成部と、
前記アクチュエータの外側フォーカシングコイルの第１端子に提供する所定の外側コイル信号を生成する第２信号生成部と、
前記内側フォーカシングコイルの第２端子と前記外側フォーカシングコイルの第２端子とに共通に提供する所定の共通基準信号を生成する第３信号生成部とを含むことを特徴とするアクチュエータ駆動信号の提供装置。
【請求項１１】
前記内側コイル信号、前記外側コイル信号、及び前記共通基準信号は、
所定のフォーカシング信号と所定のチルト信号とを合わせた信号が前記内側フォーカシングコイルに印加され、前記フォーカシング信号から前記チルト信号を引いた信号が前記外側フォーカシングコイルに印加されるように定められることを特徴とする請求項１０に記載のアクチュエータ駆動信号の提供装置。
【請求項１２】
前記内側コイル信号は所定の第１信号と所定の第２信号とを合わせた信号であり、
前記外側コイル信号は前記第１信号から前記第２信号を引いた信号であることを特徴とする請求項１０に記載のアクチュエータ駆動信号の提供装置。
【請求項１３】
前記共通基準信号は前記第１信号と同じ大きさ及び反対極性を有する信号であることを特徴とする請求項１２に記載のアクチュエータ駆動信号の提供装置。
【請求項１４】
前記共通基準信号は前記アクチュエータを駆動する電源電圧の最高値と最低値との中心値であることを特徴とする請求項１０に記載のアクチュエータ駆動信号の提供装置。
【請求項１５】
前記共通基準信号はグラウンド電圧信号であることを特徴とする請求項１０に記載のアクチュエータ駆動信号の提供装置。
【請求項１６】
前記内側コイル信号は所定の第１信号であり、
前記外側コイル信号は所定の第２信号であり、
前記共通基準信号は前記第１信号と前記第２信号との平均値と同じ大きさ及び反対極性を有する信号であることを特徴とする請求項１０に記載のアクチュエータ駆動信号の提供装置。
【請求項１７】
前記アクチュエータのトラッキングコイルの端子に提供するトラッキング信号を生成するトラッキング信号生成部をさらに含むことを特徴とする請求項１０に記載のアクチュエータ駆動信号の提供装置。
【請求項１８】
前記アクチュエータの液晶パネルの端子に提供する液晶パネル信号を生成する液晶パネル信号生成部をさらに含むことを特徴とする請求項１０に記載のアクチュエータ駆動信号の提供装置。
【発明の詳細な説明】
【技術分野】
【０００１】
本発明は記録媒体に／から情報を記録／再生する装置に係り、特に光ディスクシステムのアクチュエータ及びアクチュエータを駆動する信号を提供する装置に関する。
【背景技術】
【０００２】
光ディスクシステムは記録媒体の光ディスクに／から情報を記録／再生するための光源を有する。このような光源を光ディスクに対して相対移動させるために光源を移動させる手段、すなわちアクチュエータが必要である。
【０００３】
図１は光機器用アクチュエータの斜視図である。図１を参照すれば、光源を含むアクチュエータの大きさは約１０ｍｍであるが、これは光ディスク保存媒体として使われるＣＤやＤＶＤなどが約１２ｃｍの直径と０．１〜１．２ｍｍの厚さとを有し、これに／から記録／再生するための光源の波長が４０５〜７８０ｎｍであるからである。
【０００４】
図２は光機器用アクチュエータの構造図である。図２を参照すれば、アクチュエータの動作部は対物レンズ１０と液晶パネル２０とを含み、４つのサスペンションワイヤー４０が動作部を支持している。
【０００５】
ところが、このような４つのサスペンションワイヤーは、動作部を支持すると同時に動作部をフォーカシング方向とトラッキング方向とに駆動するためのコイルに提供される駆動信号も伝達する。また図２に図示されたアクチュエータは駆動信号提供装置から液晶パネル２０に提供する信号も供給されねばならない。したがって、それぞれのサスペンションワイヤーにコイルに提供される信号と液晶パネルに提供される信号とが同時に印加され、これを動作部でそれぞれの信号に分離するためにはジモジュレータ３０を必要とする。
【０００６】
図３はアクチュエータ内部の電気回路図である。図３を参照すれば、４つのサスペンションワイヤーを通じてフォーカシングコイル５０を駆動するための電流Ｆｃｓとトラッキングコイル６０を駆動するための電流Ｔｒｋとが印加される時、１ＭＨｚ周波数の２つの駆動信号ＬＣ１及びＬＣ２が共に含まれて印加される。この時、２つの信号のバースト周波数は２ｋＨｚである。この信号をジモジュレータ３０からフィルターにより１ＭＨｚ周波数のキャリア信号を除去することによって液晶パネル２０を駆動するための２つの相異なる方形波信号１及び２が生成される。この信号の振幅を変更したりトーンバーストウェーブの振幅を変更することによって液晶パネルを使用した球面収差の補正が可能になる。
【０００７】
このような方式で球面収差を補正することにより既存の４つのワイヤーを具備したアクチュエータを活用できる。しかし、追加的にジモジュレータというチップ部品が必要であり、液晶板から出た導線がチップ部品と連結されねばならない。また、チップ部品から出た導線が再びワイヤーと連結される二重連結が必要であり、コイル印加電流Ｆｃｓ及びＴｒｋと液晶板駆動電流ＬＣ１及びＬＣ２信号とが互いに影響を与える問題点がある。
【０００８】
このような問題点を解決するために、ジモジュレータを使用せずにもそれぞれの信号を供給するサスペンションワイヤーの数を減らすことが要求される。
【発明の開示】
【発明が解決しようとする課題】
【０００９】
本発明が解決しようとする技術的課題は、別途のジモジュレータを使用せずにもアクチュエータに搭載されたコイルを駆動するサスペンションワイヤーの数を減らしうる光ディスクシステムのアクチュエータ及びその駆動信号提供装置を提供することである。
【課題を解決するための手段】
【００１０】
前記技術的課題は本発明によって、光ディスク面に／から情報を記録／再生するための光源が装着されたアクチュエータにおいて、前記光ディスク面の半径方向に内側コイルと外側コイルとの二部分に分けられたフォーカシングコイルと、前記内側コイルの第１端子に連結されて所定の内側コイル信号を供給する第１信号線と、前記外側コイルの第１端子に連結されて所定の外側コイル信号を供給する第２信号線と、前記内側コイルの第２端子と前記外側コイルの第２端子とに共通に連結されて所定の共通基準信号を供給する共通信号線と、を含む光ディスクシステムのアクチュエータにより達成される。
【００１１】
一方、本発明の他の分野によれば、前記技術的課題は本発明によって、光ディスク面に／から情報を記録／再生するための光源が装着されたアクチュエータを駆動する信号を提供する装置において、前記アクチュエータの内側フォーカシングコイルの第１端子に提供する所定の内側コイル信号を生成する第１信号生成部と、前記アクチュエータの外側フォーカシングコイルの第１端子に提供する所定の外側コイル信号を生成する第２信号生成部と、前記内側フォーカシングコイルの第２端子と前記外側フォーカシングコイルの第２端子とに共通に提供する所定の共通基準信号を生成する第３信号生成部と、を含むアクチュエータ駆動信号の提供装置によっても達成される。
【００１２】
本発明は、記録または再生が可能な光ディスク装置において、液晶パネルと、ディスクチルトを補償するためのチルトアクチュエータとフォーカシング及びトラッキングアクチュエータとを具備するが、前記の部品がいずれもアクチュエータの動作部に搭載される場合、前記の部品に信号を提供する信号線、すなわちサスペンションワイヤーの数を減らすことを特徴とする。
【発明の効果】
【００１３】
本発明による光ディスクシステムのアクチュエータ及びその駆動信号提供装置によれば、内側フォーカシングコイルの一端子と外側フォーカシングコイルの一端子とに共通に連結された共通連結部を利用して２つの端子に提供される信号を共通の信号線により提供することによって、製作が容易で低コストの８ラインアクチュエータ構造を具現でき、ディスクの厚さ偏差を補償するＬＣパネルをアクチュエータの動作部に搭載して厚さ補償を容易に行え、フォーカシングコイルに共通に提供される基準信号を適切に調節することによって同一なＯＰアンプを使用してもさらに多くの電力を提供できる。
【発明を実施するための最良の形態】
【００１４】
以下、添付した図面を参照して本発明による光ディスクシステムのアクチュエータ及びその駆動信号提供装置について詳細に説明する。
【００１５】
図４は、３軸アクチュエータ及びその駆動信号提供装置を示したブロック図である。図４を参照すれば、３軸アクチュエータ３００は、対物レンズ（ｏｂｊｅｃｔｉｖｅ  ｌｅｎｓ：ＯＬ）（図示せず）をディスクのデータレーヤーに正確に焦点を結ばせるフォーカシングコイル３１０及び３２０と、光源であるレーザービームをディスクの半径方向に対して内側または外側方向に移動させるトラッキングコイル３３０とを含むことが望ましい。
【００１６】
また、アクチュエータ３００はレーザービームとディスク面とが相対的にチルトされた場合、これを補償するチルト機能を有することが望ましい。図４の場合、フォーカシングコイルが内側フォーカシングコイル３１０及び外側フォーカシングコイル３２０の２本に分離されてチルト機能を行える。
【００１７】
図４を参照すれば、フォーカシングコイルは２本に分離されている。そのうち一つはディスクの半径方向に内側方向に設置されてＯＬをディスク面に対して近づくか遠ざかるように駆動する。これを内側コイル３１０という。他の一つはディスクの半径方向に外側方向に設置されてＯＬをディスクと近づくか遠ざかるように駆動する。これを外側コイル３２０という。二つのフォーカシングコイルを同じ値を有する信号で同時に駆動すれば、ＯＬは内側方向や外側方向に傾かずに水平を維持しながらディスクの垂直方向に近づくか遠ざかるように駆動される。このようにアクチュエータをディスク面の垂直方向に移動させるために提供される信号をフォーカシング信号という。
【００１８】
両フォーカシングコイルに同じ値を提供するフォーカシング信号とは違って、両フォーカシングコイルに同じ大きさを有して反対極性の信号を各々提供すれば、一つのコイルはアクチュエータをディスクの垂直方向に近づけ、他のコイルはアクチュエータをディスクの垂直方向に遠ざけて、ＯＬをディスク面に対して内側方向または外側方向に傾かせる。このような機能をチルト機能という。このようなチルト機能を制御するための信号をチルト信号という。
【００１９】
図４で内側フォーカシングコイル３１０及び外側フォーカシングコイル３２０に印加される信号を説明する。図４で、ｓ１＝ＦＯＤ＋ＴＬＤ、ｓ２＝−ｓ１、ｓ３＝ＦＯＤ−ＴＬＤ、ｓ４＝−ｓ３である。内側フォーカシングコイル３１０の両端にかかる電位差はｓ１−ｓ２＝ｓ１−（−ｓ１）＝２＊ｓ１＝２＊（ＦＯＤ＋ＴＬＤ）である。外側フォーカシングコイル３２０の両端にかかる電位差はｓ３−ｓ４＝ｓ３−（−ｓ３）＝２＊ｓ３＝２＊（ＦＯＤ−ＴＬＤ）である。
【００２０】
入力信号ＴＬＤが０である場合、両フォーカシングコイルに印加される信号は２＊ＦＯＤである。したがって、入力信号ＦＯＤはフォーカシング信号の役割を行うことが分かる。
【００２１】
入力信号ＦＯＤが０である場合、内側フォーカシングコイル３１０に印加される信号は２＊ＴＬＤであり、外側フォーカシングコイル３２０に印加される信号は−２＊ＴＬＤである。したがって、入力信号ＴＬＤにより両フォーカシングコイルは互いに反対方向に駆動され、したがって入力信号ＴＬＤがチルト信号の役割を行うことが分かる。
【００２２】
入力信号ＦＯＤ及びＴＬＤがいずれも０でない場合、入力信号ＴＬＤが正の値を有するならば、内側フォーカシングコイルが移動する程度が外側コイルが移動する程度より大きい。したがって、アクチュエータはディスクの半径内側部分からディスク方向にさらに多く移動してＯＬがチルトされる効果をもたらす。
【００２３】
光ディスク保存媒体は、初期に音楽データを保存する目的で使われた６５０ＭＢのＣＤ（Ｃｏｍｐａｃｔ  Ｄｉｓｃ）から、動映像データを保存する目的で使われる４．７ＧＢのＤＶＤ（Ｄｉｇｉｔａｌ  Ｖｅｒｓａｔｉｌｅ  Ｄｉｓｃ）を経て、ＨＤ（Ｈｉｇｈ  Ｄｅｆｉｎｉｔｉｏｎ）級の放送を長時間記録及び再生できる２５ＧＢの次世代ＤＶＤまで、その記録容量を増加させ続けてきた。
【００２４】
ＣＤの場合、直径１２ｃｍ、厚さ１．２ｍｍであり、使われるレーザービームの波長は７８０ｎｍ、ＯＬの開口数（ｎｕｍｅｒｉｃａｌ  ａｐｅｒｔｕｒｅ：ＮＡ）は０．４５である。
【００２５】
ＤＶＤの場合、直径１２ｃｍ、厚さ０．６ｍｍであり、使われるレーザービームの波長は６５０ｎｍ、ＯＬの開口数は０．６である。
【００２６】
次世代ＤＶＤの場合、直径１２ｃｍ、厚さ０．１ｍｍであり、使われるレーザービームの波長は４０５ｎｍ、ＯＬの開口数は０．８５である。
【００２７】
次世代ＤＶＤの場合、レーザービームの波長及びＮＡによって許容可能なディスクの厚さ偏差範囲が非常に小さいために、ディスクの厚さが規定値からすこしだけ離脱しても記録または再生信号の品質が大きく劣化する。したがって、厚さ偏差補償用液晶パネル（ｌｉｑｕｉｄ  ｃｒｙｓｔａｌ  ｐａｎｅｌ：ＬＣ  ｐａｎｅｌ）３４０を使用する。
【００２８】
ＬＣパネルが効果的に厚さを補償するためには、ＬＣパネルがＯＬが搭載されたアクチュエータの動作部に共に位置することが最も効果的であると知られている。
【００２９】
図５は厚さ偏差補償用ＬＣパネル３４０に提供される駆動信号を示した図である。図５を参照すれば、ＬＣパネルに提供される駆動信号はｖ１、ｖ２及び共通信号であるｖｃの３つである。ＬＣパネル駆動信号ｖ１とｖ２とは同じ周波数を有して振幅は相異なる。
【００３０】
共通端子に提供される信号ｖｃを基準としてｖ１とｖ２とが相異なる振幅を有する。例えば、ｖ１の振幅が４ボルトであり、ｖ２の振幅が１ボルトである場合、ｖ１の強度がさらに大きいので、ＬＣパネル３４０は厚さ偏差を補償する。
【００３１】
反対方向の厚さ偏差がある場合、ｖ１の振幅を１ボルト、ｖ２の振幅を４ボルトで印加すればｖ２の強度がさらに大きいので、ＬＣパネル３４０は反対方向の厚さ偏差を補償する。
【００３２】
図４に図示されたように、内側フォーカシングコイル３１０、外側フォーカシングコイル３２０、トラッキングコイル３３０、及びＬＣパネル３４０をいずれも具備したアクチュエータ３００を駆動するためには総９つの信号が必要である。したがって、駆動信号提供装置１００とアクチュエータ３００間にはアクチュエータを支持しながら同時に駆動信号を提供するための連結ワイヤー２１０ないし２９０が必要である。図４の場合には信号端子が総９つであるため、９本の信号連結ワイヤーが必要である。このような構造を９ライン構造という。一般的にアクチュエータは数十ｋＨｚの高周波応答特性が良好になるように設計され、このために対称構造を有することが望ましい。９本の信号連結ワイヤーを対称構造で配置できないので、１本のダミー信号線を追加して１０ライン構造で製作する。
【００３３】
ところが、アクチュエータの動作部と連結されるサスペンションワイヤーの数が多くなるほど製作上の難しさが増加し、アクチュエータの動作特性に悪い影響を与える。したがって、なるべく信号線の数を減らすことが望ましい。したがって、本発明では１０ライン構造が必要とする９本の信号線を使用せずに８本の信号線だけでフォーカシング機能、チルト機能、トラッキング機能、及び厚さ偏差補正機能の４つの機能をいずれも行えるようにする。
【００３４】
図６は、本発明による光ディスクシステムのアクチュエータ及びその駆動信号提供装置の一実施例を示したブロック図である。図６を参照すれば、本実施例による光ディスクシステムのアクチュエータ６００は、内側フォーカシングコイル６１０、外側フォーカシングコイル６２０、トラッキングコイル６３０、ＬＣパネル６４０、及びアクチュエータを支持しながらアクチュエータの各部分に駆動信号を供給する連結ワイヤー５１０ないし５８０を含む。
【００３５】
また、本実施例によるアクチュエータ駆動信号の提供装置４００は、フォーカシングコイル信号生成部４１０、トラッキングコイル信号生成部４２０、及びＬＣパネル信号生成部４３０を含む。
【００３６】
内側フォーカシングコイル６１０及び外側フォーカシングコイル６２０はフォーカシング機能及びチルト機能を行う。トラッキングコイル６３０はアクチュエータを光ディスク面の半径方向に移動させるトラッキング機能を行う。ＬＣパネル６４０は光ディスク面の厚さ偏差を補償する機能を行う。
【００３７】
図６に図示されたアクチュエータは、内側フォーカシングコイル６１０の一つの端子と外側フォーカシングコイル６２０の一つの端子とが共通の信号線５３０に連結されている。したがって、内側フォーカシングコイル６１０と外側フォーカシングコイル６２０とを駆動するために３個の信号だけを必要として、したがって全体アクチュエータに使われる連結ワイヤーの数を減らすことができる。
【００３８】
すなわち、本発明によるアクチュエータでは内側フォーカシングコイル６１０と外側フォーカシングコイル６２０の信号端子のうち２つの端子に提供される信号を一つの信号線により提供して図４の場合より駆動信号を提供するための連結ワイヤーの数が少なくなる。
【００３９】
図６を参照すれば、フォーカシングコイル信号生成部４１０は内側フォーカシングコイル６１０の第１端子に提供する内側コイル信号ｓ１１を生成する第１信号生成部４１２、外側フォーカシングコイル６２０の第１端子に提供する外側コイル信号ｓ１２を生成する第２信号生成部４１４、及び内側フォーカシングコイル６１０の第２端子及び外側フォーカシングコイル６２０の第２端子に共通で提供する共通基準信号ｓ１３を生成する第３信号生成部４１６を含む。
【００４０】
第１信号生成部４１２は、入力信号ＦＯＤとＴＬＤとを合わせた信号を内側フォーカシングコイルの第１端子に連結された信号線５１０に提供する。
【００４１】
第２信号生成部４１４は、入力信号ＦＯＤから入力信号ＴＬＤを引いた信号を外側フォーカシングコイル６２０の第１端子に連結された信号線５２０に提供する。
【００４２】
第３信号生成部４１６で提供する共通基準信号ｓ１３はフォーカシングコイルのための共通信号であって、グラウンド電圧である０ボルトの値を有する信号であるか、電源電圧の中心値を有することが望ましい。例えば、電源として１２ボルトを使用する場合、共通基準信号は６ボルトの値を有する。
【００４３】
アクチュエータ６００に提供される各信号の値を説明すれば、ｓ１１＝ＦＯＤ＋ＴＬＤ、ｓ１２＝ＦＯＤ−ＴＬＤ、ｓ１３＝Ｖｒである。内側フォーカシングコイル６１０両端の電位差はｓ１１−ｓ１３＝ＦＯＤ＋ＴＬＤ−Ｖｒであり、外側フォーカシングコイル６２０両端の電位差はｓ１２−ｓ１３＝ＦＯＤ−ＴＬＤ−Ｖｒである。内側フォーカシングコイル５１はＦＯＤ＋ＴＬＤ−Ｖｒで駆動され、外側フォーカシングコイル５２はＦＯＤ−ＴＬＤ−Ｖｒで駆動される。
【００４４】
入力信号ＴＬＤが０である場合、両コイルは同じ信号ＦＯＤ−Ｖｒで駆動され、したがって入力信号ＦＯＤはフォーカシング信号の役割をする。入力信号ＴＬＤが正の値を有する場合、ＯＬは半径の内側部分でディスク方向にさらに多く傾くので、入力信号ＴＬＤがチルト信号の役割をすることが分かる。
【００４５】
チルト信号はフォーカシング信号に比べて低周波信号である必要があり、したがってフォーカシング信号とチルト信号とを共通の信号線に印加してもよい。この場合、信号線５１０を通じて信号線５３０に流れる電流と信号線５２０を通じて信号線５３０に流れる電流とはその値がほぼ同一であるので、内側フォーカシングコイルと外側フォーカシングコイル間にクロストークはほとんどなくなり、チルト信号の周波数はディスク回転周波数とほぼ同じかさらに低い値を有する低周波であるためにチルト信号とフォーカシング信号間のクロストークもほとんどなくなる。
【００４６】
トラッキングコイル信号生成部４２０は、トラッキング信号ｓ１４をトラッキングコイル６３０の開始端子に連結された信号線５４０に提供し、トラッキング信号ｓ１５をトラッキングコイルの終端子に連結された信号線５５０に提供する。
【００４７】
ＬＣパネル信号生成部４３０は、ＬＣパネルを制御する信号ＬＣ  Ｃｏｎｔｒｏｌを入力されてＬＣパネル６４０を駆動する信号ｖ１、ｖ２、及びｖｃを提供する。
【００４８】
図７は、本発明による光ディスクシステムのアクチュエータ及びその駆動信号提供装置の他の一実施例を示したブロック図である。図７のアクチュエータ６００は図６のアクチュエータと同じ構造を有する。図７を参照すれば、本実施例によるアクチュエータ駆動信号の提供装置４００は、第１信号生成部４１２、第２信号生成部４１４、及び第３信号生成部４１８を含む。
【００４９】
図７の実施例で第１信号生成部４１２及び第２信号生成部４１４の役割は図６の実施例と同一である。図７を参照すれば、フォーカシングコイルに提供する共通基準信号ｓ２３として入力信号ＦＯＤと同じ大きさ及び反対極性を有する信号を生成する。このために図７では利得が−１であるＯＰアンプを使用する場合を図示した。
【００５０】
図７の実施例で、アクチュエータ６００に提供される各信号の値を説明すれば、ｓ１１＝ＦＯＤ＋ＴＬＤ、ｓ１２＝ＦＯＤ−ＴＬＤ、ｓ２３＝−ＦＯＤである。内側フォーカシングコイル６１０両端の電位差はｓ１１−ｓ２３＝ＦＯＤ＋ＴＬＤ−（−ＦＯＤ）＝２＊ＦＯＤ＋ＴＬＤであり、外側フォーカシングコイル６２０両端の電位差はｓ１２−ｓ２３＝ＦＯＤ−ＴＬＤ−（−ＦＯＤ）＝２＊ＦＯＤ−ＴＬＤである。
【００５１】
図７に図示されたアクチュエータ駆動信号の提供装置を図６の実施例と比較すれば、同じＦＯＤ信号を入力された場合、フォーカシングコイルに提供される電圧が２倍になり、電流も２倍に流れるので、同じＯＰアンプを使用してもさらに多くの電力を提供できる長所がある。
【００５２】
図８は、本発明による光ディスクシステムのアクチュエータ及びその駆動信号提供装置のまた他の一実施例を示したブロック図である。図８を参照すれば、本実施例によるアクチュエータ駆動信号の提供装置４００はフォーカシング信号ＦＯＤとチルト信号ＴＬＤとが混合された信号を入力される。これはアクチュエータ駆動信号の提供装置の前端からフォーカシング信号とチルト信号とがそれぞれ混合されて提供される場合に利用される実施例である。
【００５３】
図８の実施例によるアクチュエータ駆動信号の提供装置４００は第１信号生成部４１１、第２信号生成部４１３、及び第３信号生成部４１５を含む。
【００５４】
第１信号生成部４１１は、フォーカシング信号とチルト信号とが混合された入力信号であるＶ１１＝ＦＯＤ＋ＴＬＤを内側フォーカシングコイル６１０の第１端子に連結された信号線５１０に供給する。
【００５５】
第２信号生成部４１３は、フォーカシング信号とチルト信号とが混合された入力信号であるＶ１２＝ＦＯＤ−ＴＬＤを外側フォーカシングコイル６２０の第１端子に連結された信号線５２０に供給する。
【００５６】
第３信号生成部４１５は、入力信号Ｖ１１とＶ１２とを合わせて２で割った値、すなわち平均値と同じ大きさ及び反対極性を有する信号を生成して内側フォーカシングコイル６１０と外側フォーカシングコイル６２０との第２端子に共通に連結された信号線５３０に供給する。
【００５７】
アクチュエータ６００に提供される各信号の値を説明すれば、ｓ３１＝Ｖ１１＝ＦＯＤ＋ＴＬＤ、ｓ３２＝Ｖ１２＝ＦＯＤ−ＴＬＤ、ｓ３３＝−（Ｖ１１＋Ｖ１２）／２＝−ＦＯＤである。内側フォーカシングコイル６２０両端の電位差はｓ３１−ｓ３３＝ＦＯＤ＋ＴＬＤ−（−ＦＯＤ）＝２＊ＦＯＤ＋ＴＬＤであり、外側フォーカシングコイル６２０両端の電位差はｓ３２−ｓ３３＝ＦＯＤ−ＴＬＤ−（−ＦＯＤ）＝２＊ＦＯＤ−ＴＬＤである。
【００５８】
図８に図示されたアクチュエータ駆動信号の提供装置は、フォーカシング信号とチルト信号とが混合された信号を入力される場合に使用でき、図７の実施例のように同じＯＰアンプを使用してもさらに多くの電力を提供できる長所がある。
【００５９】
本発明は実施例を参考して説明されたが、これは例示的なものに過ぎず、当業者であればこれより多様な変形及び均等な他の実施例が可能であるという点を理解できる。したがって、本発明の真の技術的範囲は特許請求の範囲の技術的思想によって定められねばならない。
【産業上の利用可能性】
【００６０】
本発明は光ディスクシステムのアクチュエータ及びアクチュエータを駆動する信号を提供する装置に適用できる。
【図面の簡単な説明】
【００６１】
【図１】光機器用アクチュエータの斜視図である。
【図２】光機器用アクチュエータの構造図である。
【図３】アクチュエータ内部の電気回路図である。
【図４】３軸アクチュエータ及びその駆動信号提供装置を示したブロック図である。
【図５】厚さ偏差補償用ＬＣパネルに提供される駆動信号を示した図である。
【図６】本発明による光ディスクシステムのアクチュエータ及びその駆動信号提供装置の一実施例を示したブロック図である。
【図７】本発明による光ディスクシステムのアクチュエータ及びその駆動信号提供装置の他の一実施例を示したブロック図である。
【図８】本発明による光ディスクシステムのアクチュエータ及びその駆動信号提供装置のまた他の一実施例を示したブロック図である。
【符号の説明】
【００６２】
４００  アクチュエータ駆動信号の提供装置
４１０  フォーカシングコイル信号生成部
４１２  第１信号生成部
４１４  第２信号生成部
４１６  第３信号生成部
４２０  トラッキングコイル信号生成部
４３０  ＬＣパネル信号生成部
５１０〜５８０  連結ワイヤー
６００  アクチュエータ
６１０  内側フォーカシングコイル
６２０  外側フォーカシングコイル
６３０  トラッキングコイル
６４０  ＬＣパネル
【図１】
2004213878.tif 000003
【図２】
2004213878.tif 000004
【図３】
2004213878.tif 000005
【図４】
2004213878.tif 000006
【図５】
2004213878.tif 000007
【図６】
2004213878.tif 000008
【図７】
2004213878.tif 000009
【図８】
2004213878.tif 000010